(57)【要約】【課題】蓋部が開放された状態を検出したときに、安全性に問題がある状態か否かに応じて、使用者の注意を喚起するためのアラーム報知を行う電気ポットを提供する。【解決手段】貯湯用の内容器３を備えた容器本体１と、内容器の蓋体２と、湯沸しヒータ４ａ及び保温ヒータ４ｂと、内容器内の湯を外部へ給湯するための給湯通路５と、給湯通路を介して内容器内の湯を外部に送り出すための給湯ポンプ６と、内容器中の湯の温度を検出する湯温センサ１２と、蓋体の開閉状態を検出する蓋開閉センサ２２と、アラーム音を発生させるアラーム報知部５２と、湯沸しヒータ及び保温ヒータの通電、湯温センサ及び蓋開閉センサの出力に基づく動作、及びアラーム報知部の動作を制御する制御部４１とを備える。制御部は、蓋開閉センサにより蓋体の開放状態が検出され、かつ湯温センサにより湯温が所定値以上であることが検出された場合に、アラーム報知部を動作させる。【選択図】図１
2009247687.tif 000002
【特許請求の範囲】
【請求項１】
上部開口部を有する貯湯用の内容器を備えた容器本体と、
前記内容器の前記上部開口部を開閉する蓋体と、
前記内容器中を湯沸し時に加熱するための湯沸しヒータと、
前記内容器中を保温時に加熱するための保温ヒータと、
前記内容器内の湯を外部へ給湯するための給湯通路と、
前記給湯通路を介して前記内容器内の湯を外部に送り出すための給湯ポンプと、
前記内容器中の湯の温度を検出する湯温センサと、
前記蓋体の開閉状態を検出する蓋開閉センサと、
アラーム音を発生させるアラーム報知部と、
前記湯沸しヒータ及び前記保温ヒータの通電、前記湯温センサ及び前記蓋開閉センサの出力に基づく動作、及び前記アラーム報知部の動作を制御する制御部とを備え、
前記制御部は、前記蓋開閉センサにより前記蓋体の開放状態が検出され、かつ前記湯温センサにより湯温が所定値以上であることが検出された場合に、前記アラーム報知部を動作させることを特徴とする電気ポット。
【請求項２】
前記蓋開閉センサにより前記蓋体の開放状態が検出された場合に、前記湯温センサにより検出される湯温が所定値未満であっても、前記湯沸しヒータまたは前記保温ヒータに通電中である場合は前記アラーム報知部を動作させて表示または報知を行う請求項１に記載の記載の電気ポット。
【請求項３】
前記蓋開閉センサにより前記蓋体の開放状態が検出され、かつ前記湯温センサにより湯温が所定値以上であることが検出された場合に、前記アラーム報知部を継続的に動作させ、
前記湯温センサにより検出される湯温が、所定値以下になったとき、または所定温度低下したときに、前記アラーム報知部の動作を停止させる請求項１に記載の電気ポット。
【請求項４】
前記蓋開閉センサにより前記蓋体の開放状態が検出された場合に、前記湯沸しヒータまたは前記保温ヒータの通電を停止、またはヒータ出力を低下させる請求項１に記載の電気ポット。
【請求項５】
前記湯沸しヒータまたは前記保温ヒータの通電を停止、またはヒータ出力を低下させた後、前記蓋開閉センサにより前記蓋体の閉鎖状態が検出されたときに、前記湯温センサにより検出される湯温に応じて、前記湯沸しヒータまたは前記保温ヒータの通常状態の通常状態の通電を開始する請求項４に記載の電気ポット。
【請求項６】
前記湯温センサにより検出される湯温が、所定値以下になったとき、または所定温度低下したときに、前記湯沸しヒータの通常状態の通電を開始する請求項４に記載の電気ポット。
【請求項７】
前記湯沸しヒータまたは前記保温ヒータの通電を停止、またはヒータ出力を低下させた後、前記蓋開閉センサにより前記蓋体の閉鎖状態が検出されたときに、前記湯温センサにより検出される湯温に関わらず、前記湯沸しヒータの通常状態の通電を開始する請求項４に記載の電気ポット。
【請求項８】
前記アラーム報知部による報知を停止させる報知停止スイッチを備え、
前記アラーム報知部の動作中に前記報知停止スイッチにより報知停止状態にすることが可能であり、
前記報知停止状態になった後、前記蓋開閉センサにより前記蓋体の閉鎖状態が検出されたときには、前記報知停止状態が解除される請求項１に記載の電気ポット。
【発明の詳細な説明】
【技術分野】
【０００１】
本発明は、電気ポットに関し、特に、貯湯用内容器の開口部の蓋が開放された時における安全性を確保するための構成に関する。
【背景技術】
【０００２】
一般に、電気ポットは、内容器内に収容された水を加熱手段である電気ヒータによって加熱沸騰させた後、所定の保温温度で貯湯する。従って、内容器の蓋が開放された状態では熱湯が露出し、使用者にとってやけど等の危険性が存在することになる。そのため、蓋が開放された場合はそのことを検出し、使用者の注意を促すためのアラーム報知、あるいはアラーム表示等の警告を行うことが望ましい。
【０００３】
また、蓋を開けたとき、蓋に結露していた露が電源プラグに落下して電気的短絡が発生する、という問題が知られている。特許文献１には、この問題を解消するため、蓋部に設置した加熱手段により蓋部に結露することを防ぐ構造が開示されている。更に、蓋部開閉検出手段を設け、水を追加する際に蓋部が開いたことを検出したときには、蓋部の加熱手段をオフにすることも記載されている。すなわち、蓋部が開いた状態では結露のおそれがなく蓋部を加熱する必要がないため、蓋部が開いた状態では蓋部の加熱をオフし、電力の節約を計ることを意図している。
【特許文献１】特開平５−１１５３６６号公報
【発明の開示】
【発明が解決しようとする課題】
【０００４】
上述のように、特許文献１には、蓋部が開いたことを検出してそれによる制御を行うことは記載されているが、使用者の安全を確保するための注意を促す構成については記載がない。
【０００５】
また、電気ポットに水を継ぎ足す作業は日常的に行われるので、その都度、蓋の開放状態を検出してアラーム報知が行われると、使用者にとってかえって煩雑になる。従って、蓋の開放状態を検出したときに、使用者に危害がおよぶ恐れが多い状態か否かに応じて、安全性確保のための対応が取られるようにすることが望ましい。
【０００６】
従って本発明は、蓋部の開放状態を検出した結果に基づき、安全性に問題がある状態か否かに応じて、使用者の注意を喚起するためのアラーム報知を行う機能を有する電気ポットを提供することを目的とする。
【課題を解決するための手段】
【０００７】
本発明の電気ポットは、上部開口部を有する貯湯用の内容器を備えた容器本体と、前記内容器の前記上部開口部を開閉する蓋体と、前記内容器中を湯沸し時に加熱するための湯沸しヒータと、前記内容器中を保温時に加熱するための保温ヒータと、前記内容器内の湯を外部へ給湯するための給湯通路と、前記給湯通路を介して前記内容器内の湯を外部に送り出すための給湯ポンプと、前記内容器中の湯の温度を検出する湯温センサと、前記蓋体の開閉状態を検出する蓋開閉センサと、アラーム音を発生させるアラーム報知部と、前記湯沸しヒータ及び前記保温ヒータの通電、前記湯温センサ及び前記蓋開閉センサの出力に基づく動作、及び前記アラーム報知部の動作を制御する制御部とを備える。
【０００８】
上記課題を解決するために、前記制御部は、前記蓋開閉センサにより前記蓋体の開放状態が検出され、かつ前記湯温センサにより湯温が所定値以上であることが検出された場合に、前記アラーム報知部を動作させる。
【発明の効果】
【０００９】
上記構成の電気ポットによれば、蓋体の開閉だけでなく、湯温との組み合わせで、危険度が高いときだけにアラーム報知が動作する。そのため、蓋部が開放された状態を検出した場合であっても、安全性に応じて適度にアラーム報知が行われ、必要以上の警告で煩雑になることを回避できる。
【発明を実施するための最良の形態】
【００１０】
本発明の電気ポットは、上記構成を基本として以下のような態様をとることができる。
【００１１】
すなわち、前記蓋開閉センサにより前記蓋体の開放状態が検出された場合に、前記湯温センサにより検出される湯温が所定値未満であっても、前記湯沸しヒータまたは前記保温ヒータに通電中である場合は前記アラーム報知部を動作させて表示または報知を行う構成とすることができる。
【００１２】
また、前記蓋開閉センサにより前記蓋体の開放状態が検出され、かつ前記湯温センサにより湯温が所定値以上であることが検出された場合に、前記アラーム報知部を継続的に動作させ、前記湯温センサにより検出される湯温が、所定値以下になったとき、または所定温度低下したときに、前記アラーム報知部の動作を停止させる構成とすることができる。
【００１３】
また、前記蓋開閉センサにより前記蓋体の開放状態が検出された場合に、前記湯沸しヒータまたは前記保温ヒータの通電を停止、またはヒータ出力を低下させる構成とすることができる。
【００１４】
この構成において、前記湯沸しヒータまたは前記保温ヒータの通電を停止、またはヒータ出力を低下させた後、前記蓋開閉センサにより前記蓋体の閉鎖状態が検出されたときに、前記湯温センサにより検出される湯温に応じて、前記湯沸しヒータまたは前記保温ヒータの通常状態の通電を開始する構成とすることができる。
【００１５】
あるいは、前記湯温センサにより検出される湯温が、所定値以下になったとき、または所定温度低下したときに、前記湯沸しヒータの通常状態の通電を開始する構成とすることができる。
【００１６】
あるいは、前記湯沸しヒータまたは前記保温ヒータの通電を停止、またはヒータ出力を低下させた後、前記蓋開閉センサにより前記蓋体の閉鎖状態が検出されたときに、前記湯温センサにより検出される湯温に関わらず、前記湯沸しヒータの通常状態の通電を開始する構成とすることができる。
【００１７】
また、前記アラーム報知部による報知を停止させる報知停止スイッチを備え、前記アラーム報知部の動作中に前記報知停止スイッチにより報知停止状態にすることが可能であり、前記報知停止状態になった後、前記蓋開閉センサにより前記蓋体の閉鎖状態が検出されたときには、前記報知停止状態が解除される構成とすることができる。
【００１８】
以下、添付の図面を参照して、本発明の実施の形態における電気ポットの構成と動作について説明する。まず、各実施の形態に共通である、電気ポットの構造および制御回路について説明する。
【００１９】
（電気ポットの構造）
先ず図１〜図３を参照して、実施の形態１における電気ポットの本体および要部の構成について説明する。
【００２０】
この電気ポットは、図１に示すように、貯湯用の内容器３を備えた容器本体１と、容器本体１の上部側開口部を開閉する蓋体２とを備えている。内容器３の底部に隣接して、湯沸し時の加熱手段である湯沸しヒータ４ａと、保温時の加熱手段である保温ヒータ４ｂとが設けられている。また、内容器３に連通して、貯蔵されている湯を外部へ給湯するための給湯通路５が設けられ、給湯通路５を介して内容器３内の湯を外部に送り出す電動給湯ポンプ６が設けられている。
【００２１】
容器本体１は、外側面部を構成する合成樹脂製の筒状の外ケース７と、外ケース７と内容器３とを上部側で一体に結合固定する合成樹脂製の環状の肩部材８と、底面部を構成する合成樹脂製の皿状の底部材９とからなる。
【００２２】
内容器３は、ステンレス製の有底円筒形状の内筒１０とステンレス製の円筒形状の外筒１１との間に真空断熱空間を設けた、保温性能の高い真空二重構造体からなる。その底部には、外周部を除いて内筒１０の底面部のみにより構成された１枚板部３ａが形成されている。１枚板部３ａは若干上方に高く突出して成形されていて、その下面側には、湯沸しヒータ４ａと保温ヒータ４ｂが取り付けられている。湯沸しヒータ４ａと保温ヒータ４ｂは、例えばワット数の異なる２組の発熱体からなる。
【００２３】
内容器３の上端部には、給水口３ｂが形成されている。内容器３の底部には、サーミスタよりなる湯温センサ１２が配置され、内容器３の温度、換言すれば、内容器３内の湯の温度を検出するために使用される。内容器３の内壁面には、内容器３の満水位を表示する凸状の満水位表示部１３が形成されている。
【００２４】
蓋体２は、合成樹脂製の上板１４と、上板１４に対して外周縁が結合された合成樹脂製の下板１５とからなる。蓋体２は、肩部材８の後部に設けられたヒンジ受け１６によりヒンジピン１７を介して支持され、上下方向に開閉自在且つ着脱自在である。蓋体２における下板１５の下面には、金属製の内カバー部材１８が固定されている。内カバー部材１８の外周縁には、蓋体２の蓋閉鎖時に内容器３の給水口３ｂの上面に圧接される耐熱ラバー製のシールパッキン１９が設けられている。
【００２５】
電動給湯ポンプ６は、給湯通路５の上流端側である内容器３の下部位置に配設されている。電動給湯ポンプ６の吐出口から吐出される湯は、給湯通路５の直管部５ａを経て外部への湯注出口５ｂに導かれる。
【００２６】
操作パネル部２０は、各種スイッチ類の操作面や液晶表示パネルを備えている。操作パネル部２０の下部には、後述するマイコン制御部や各種スイッチ類や、液晶表示装置の駆動部等を備えたマイコン基板、及び電動給湯ポンプ６の駆動回路や湯沸しヒータ４ａ、保温ヒータ４ｂの加熱制御回路、安定化直流電源回路等を備えた電源基板を含む回路基板２１が配置されている。
【００２７】
図２は、図１の電気ポットの上部を拡大して示す断面図である。図２には、本実施の形態の特徴である、蓋体２の開閉状態を検出する蓋開閉センサ２２の構造が示される。蓋開閉センサ２２は、容器本体１における蓋体２の周縁に隣接した箇所に配置されたリードスイッチ２３と、蓋体２の周縁部におけるリードスイッチ２３と対向する箇所に配置された永久磁石２４により構成される。蓋体２の開閉に伴い、リードスイッチ２３と永久磁石２４とが近接、あるいは離間したとき、リードスイッチ２３の開閉が行われることにより、蓋体２の解放状態（蓋開放状態）または閉鎖状態（蓋閉鎖状態）が検出される。
【００２８】
蓋開閉センサの他の形態として、容器本体１における蓋体２の周縁に隣接した箇所に突起を設け、蓋体２の開閉に伴い、その突起が伸縮する構成とすることもできる。突起の奥にスイッチを設け、突起の伸縮によりスイッチが開閉されることにより、蓋体２の開閉状態が検出される。
【００２９】
操作パネル部２０には、図３に示すように操作用スイッチとして、給湯スイッチ２５、給湯ロック解除スイッチ２６、再沸騰スイッチ２８、タイマースイッチ２９、定量給湯モード選択用の選択スイッチ３０、及び保温選択スイッチ３１ａ，３１ｂが設けられている。また、動作表示等のための、給湯ロック解除表示用ＬＥＤ２７、再沸騰表示用ＬＥＤ３２、保温動作表示用ＬＥＤ３３、及び液晶表示部３４が設けられている。液晶表示面３４には、例えば時刻／時間／湯温設定温度／まほうびん保温等が表示される。さらに、報知停止スイッチ３５および報知停止表示用ＬＥＤ３６が設けられている。報知停止スイッチ３５は、図２に示した蓋開閉センサ２２の検出出力に基づく蓋開放状態のアラーム報知をするか否かを選択するためのものである。報知停止表示用ＬＥＤ３６は、報知停止スイッチ３５による設定が、報知停止状態であるか否かを表示するためのものである。
【００３０】
この電動給湯型の電気ポットは、連続給湯モードと、定量給湯モードとの２種の給湯モードを備えている。連続給湯モードでは、給湯ロック解除スイッチ２６がＯＮ操作されていることを条件として、給湯スイッチ２５を押し続ける限り、連続的に電動給湯ポンプ６を駆動して湯を注出できる。定量給湯モードでは、仮に給湯ロック解除スイッチ２６がＯＮ操作されていて、かつ給湯スイッチ２５を押し続けても、予じめ設定した所定量の湯を注出すると電動給湯ポンプ６が停止するとともに給湯ロックされる。
【００３１】
なお、蓋開放状態が検出されているときは、給湯ロック解除スイッチ２６による「ロック解除」操作を受付けず、給湯不能とすることが望ましい。また蓋開放状態で、操作スイッチが押された場合に、さらに注意を促すアラーム報知あるいは表示をさせることが望ましい。
【００３２】
（制御回路の構成）
図４は、上記構成の電気ポット本体に設けられた制御回路の構成を示す回路図である。図４において、符号４０はＡＣ電源、４１はマイコン制御部である。湯沸しヒータ４ａ、保温ヒータ４ｂ、ポンプ６は、図１に示したものである。給湯スイッチ２５は、図２に示したものである。ＲＳは、湯沸しヒータ４ａ作動用の電源スイッチ（リレースイッチ）、ＲＬは電源スイッチＲＳ駆動用の電源リレー（リレーコイル等リレー駆動回路）である。４２は保温ヒータ４ｂ作動用のトライアック、４３はトライアック４２駆動用のトランジスタである。
【００３３】
更に、電源電圧のゼロクロス検出回路４４、平滑コンデサ４５、給湯スイッチ２５のＯＮを条件として給湯状態を報知する給湯報知回路４６が設けられている。マイコン制御部４１には、図示しないが定電圧電源部（本来の動作電源）を介して所定の定電圧が供給される。
【００３４】
マイコン制御部４１には、さらに、ＬＣＤ回路４７、ＬＥＤ回路４８、センサ回路４９、ＳＷ回路５０、クロック発振器５１、及びアラーム回路５２が入出力ポートを介して接続されている。ＬＣＤ回路４７は、液晶表示部３４を駆動するための回路である。ＬＥＤ回路４８は、給湯ロック解除表示用ＬＥＤ２７、再沸騰表示用ＬＥＤ３２、保温動作表示用ＬＥＤ３３、報知停止表示用ＬＥＤ３６等の各種表示部を駆動するための回路である。センサ回路４９は、湯温センサ１２、蓋開閉センサ２２などの各種センサー部からの出力を受けるための回路である。ＳＷ回路５０は、給湯ロック解除スイッチ２６、再沸騰スイッチ２８、タイマースイッチ２９、選択スイッチ３０、保温選択スイッチ３１ａ、３１ｂ等の各種操作部からの出力を受けるための回路である。クロック発振器５１は、マイコン作動用のクロック信号を生成する。アラーム回路５２は、アラーム音を発生させるための回路である。
【００３５】
湯沸しヒータ４ａは、例えばマイコン制御部４１から湯沸しヒータＯＮ信号が出力されると、先ず電源リレーＲＬが作動され、それに対応して電源スイッチＲＳがＯＮになることにより駆動される。また、保温ヒータ４ｂは、マイコン制御部４１から保温ヒータＯＮ信号が出力されると、トランジスタ４３がＯＮになり、トライアック４２がトリガーされて駆動される。
【００３６】
電動給湯ポンプ６は、そのアース側ライン中に挿入された給湯スイッチ２５がＯＮ操作されると、給湯報知回路４６を介してマイコン制御部４１に同給湯スイッチ２５のＯＮ信号が入力され、それに応じてマイコン制御部４１が保温ヒータ４ｂをＯＦＦにするとともに、マイコン制御部４１から所定のデューティー比のパルス電圧信号が出力されて、所定のデューティー比で適切に回転駆動される。
【００３７】
以下に、本発明の各実施の形態における、上記構成の電気ポットで蓋体２が開放状態の場合の安全性を確保するための制御動作について説明する。
【００３８】
（実施の形態１）
図５は、実施の形態１における、蓋開放状態での安全性を確保するための制御ルーチンを示すフローチャートである。
【００３９】
この制御では、まずステップＳ１において、湯温センサ１２により検出される湯温が保温設定温度以上か否かを判定する。保温設定温度は、例えば９０℃に設定される。一般的には９０℃が初期設定されていることが多いが、選択温度で９８℃、８０℃、７０℃等に設定可能としてもよい。湯温が保温設定温度以上であれば、ステップＳ２に進み保温ヒータ４ｂをオフにし、保温設定温度未満であれば、ステップＳ３に進み保温ヒータ４ｂをオンにする。その後、ステップＳ４に進む。
【００４０】
ステップＳ４では、蓋開閉センサ２２により蓋体２の開放状態が検出されているか否かを判定する。蓋開放状態が検出されていない場合（ＮＯ）にはステップＳ５に進み、アラーム報知をオフにしてスタートに戻る。また、蓋開放状態が検出されている場合（ＹＥＳ）にはステップＳ６に進み、湯温が所定温度（ここでは５０℃）以上か否かを判定する。湯温が５０℃以上であれば、ステップＳ７によりアラーム報知を開始した後、スタートに戻る。湯温が５０℃未満であればそのまま、スタートに戻る。
【００４１】
以上のように本実施の形態によれば、蓋体２が開放状態が検出された場合であっても、更に、湯温が所定値以上であることが検出された場合にのみ、アラーム報知あるいは表示を行う。従って、安全性に問題がある状態か否かに応じて適度に警告を行うことができ、必要以上の警告で煩雑になることを回避できる。
【００４２】
なお、蓋体２の開放状態が検出された場合に、湯温が所定値未満であっても、湯沸しヒータ４ａまたは保温ヒータ４ｂに通電中である場合は、アラーム表示または報知を行う構成とすることが望ましい。
【００４３】
また、蓋開放状態が検出され、アラーム表示・報知を行った場合は、保温ヒータ４ｂもオフにするか、出力を低下させるようにすることが望ましい。また、所定時間以上、蓋開放状態が続いたら報知するようにすることもできる。あるいは、電源投入後、所定水温以上になっても蓋開放状態が続いたら、報知するようにすることもできる。
【００４４】
（実施の形態２）
図６は、実施の形態２における、蓋開放状態の場合の安全性を確保するための制御ルーチンを示すフローチャートである。この制御では、ステップＳ１からＳ４までは実施の形態１と同様の手順で処理を行う。
【００４５】
ステップＳ４で、蓋開放状態が検出されていない場合にはステップＳ５に進み、アラーム報知をオフにしてスタートに戻る。また、蓋開放状態が検出されている場合にはステップＳ７に進み、アラーム報知を開始する。
【００４６】
次にステップＳ８により、水の継足しが検出されたか否かを判定する。水の継足しは、例えば、湯温センサ１２により検出される湯温が、所定値以下になったとき、または所定温度低下したことに基づいて検出する。水の継足し検出の設定例としては、例えば、５秒以内に湯温が１０℃以上降下したときに、水の継足しと判断する。水の継足しが検出されない場合は、スタートに戻る。水の継足しが検出された場合は、ステップＳ９に進み、アラーム報知を停止する。
【００４７】
以上のように本実施の形態によれば、蓋体２の開放状態が検出され、かつ湯温が所定値以上であることが検出された場合に、アラーム表示あるいは報知を継続的に動作させ、水の継足し等により、湯温が所定値以下になったとき、または所定温度低下したときに、アラーム動作を停止させる。それにより、不要なアラーム音を抑制し、騒音を低減することができる。
【００４８】
（実施の形態３）
図７は、実施の形態３における、蓋開放状態の場合の安全性を確保するための制御ルーチンを示すフローチャートである。
【００４９】
この制御では、まずステップＳ１０において、保温工程が行われているか否かを判定する。保温工程でなければ、ステップＳ１１に進み、湯沸し工程が行われているか否かを判定する。湯沸し工程でなければ、ステップＳ１２に進み、蓋開放状態か否かを判定する。蓋開放状態でなければ、スタートに戻る。
【００５０】
ステップＳ１０で保温工程であると判定された場合には、ステップＳ１３に進み、湯温センサ１２により検出される湯温が保温設定温度以上か否かを判定する。湯温が保温設定温度以上であればステップＳ１４に進み、保温ヒータ４ｂをオフとし、保温設定温度未満であればステップＳ１５に進み、保温ヒータ４ｂをオンにした後、ステップＳ１１に進む。
【００５１】
ステップＳ１１で、湯沸し工程であると判定された場合には、ステップＳ１６に進み、沸騰が完了しているか否かを判定する。沸騰が完了していればステップＳ１７に進み、湯沸しヒータ４ａをオフとし、沸騰が完了していなければステップＳ１８に進み、湯沸しヒータ４ａをオンにした後、ステップＳ１２に進む。
【００５２】
ステップＳ１２で、蓋開放状態と判定された場合には、ステップＳ１９に進み保温ヒータ４ｂをオフとし、更にステップＳ２０に進み湯沸しヒータ４ａをオフとし、ステップＳ２１に進む。なお、保温ヒータ４ｂ、あるいは湯沸しヒータ４ａをオフとするのではなく、ヒータ出力を低下させることで、安全性を確保する構成とすることもできる。ステップＳ２１では、蓋開放状態か否かを判定し、蓋開放状態が続く間は、両ヒータ４ａ、４ｂのオフ状態を維持する。ステップＳ２１で蓋閉鎖状態と判定したとき、ステップＳ２２に進む。
【００５３】
ステップＳ２２では、湯温が８０℃以上か否かを判定し、８０℃未満であれば、ステップＳ２３に進み湯沸し工程をセットする。湯温が８０℃以上であれば、ステップＳ２４に進み保温工程をセットする。その後スタートに戻る。なお、湯沸し工程をセットする、とは、湯沸し工程フラグを立てることを意味する。電気ポットの制御工程に含まれる「湯沸し工程」、「保温工程」、「節約タイマー工程」等のどの工程を実行しているのかをメモリーし、制御に利用するためである。
【００５４】
以上のように本実施の形態によれば、蓋開閉センサ２２により蓋体２の開放状態が検出された場合に、湯沸しヒータ４ａまたは保温ヒータ４ｂの通電を停止、またはヒータ出力を低下させる。それにより、安全性が向上する。
【００５５】
また、湯沸しヒータ４ａまたは保温ヒータ４ｂの通電を停止した後、蓋開放状態である間は両ヒータのオフ状態を維持し、蓋体２の閉鎖状態が検出されたときに、湯温センサ１２により検出される湯温に応じて、湯沸しヒータ４ａまたは保温ヒータ４ｂの通常状態の通電を開始する。すなわち、上述の例では、湯温が８０℃未満であれば湯沸し工程をセットし、８０℃以上であれば保温工程をセットする。これにより、蓋体２の開放状態から閉鎖状態に移行したときに、自動的に適切なモードに移行して、利便性を向上させることができる。
【００５６】
（実施の形態４）
図８は、実施の形態４における、蓋開放状態の場合の安全性を確保するための制御ルーチンを示すフローチャートである。
【００５７】
この制御では、ステップＳ１０からＳ２１までは実施の形態３と同様の手順で処理を行う。また、ステップＳ２１で蓋閉鎖状態と判定したときも、実施の形態３と同様のステップＳ２２からＳ２４の処理を行う。
【００５８】
ステップＳ２１で蓋開放状態と判定したときは、実施の形態３と異なりステップＳ２５に進み、水の継足しが検出されたか否かを判定する。水の継足しは実施の形態２と同様にして検出する。水の継足しが検出されない場合は、ステップＳ１９に戻る。水の継足しが検出された場合は、ステップＳ２６に進み湯沸し工程をセットする。更にステップＳ２７に進み湯沸しヒータ４ａをオンとした後、スタートに戻る。
【００５９】
以上のように本実施の形態によれば、湯沸しヒータ４ａまたは保温ヒータ４ｂの通電を停止、またはヒータ出力を低下させた後、湯温が所定値以下になったとき、または所定温度低下したときに、湯沸しヒータ４ａの通常状態の通電を開始する。これにより、水の継足しにより湯温が低下した場合には自動的に沸騰工程に移行し、利便性を向上させることができる。
【００６０】
（実施の形態５）
図９は、実施の形態５における、蓋開放状態の場合の安全性を確保するための制御ルーチンを示すフローチャートである。この制御では、ステップＳ１０からＳ２１までは実施の形態３と同様の手順で処理を行う。
【００６１】
ステップＳ２１で蓋開放状態と判定したときは、実施の形態３と同様、ステップＳ１９に戻り、両ヒータ４ａ、４ｂのオフ状態を維持する。
【００６２】
ステップＳ２１で蓋開放状態と判定したときは、実施の形態３と異なりステップＳ２３に進み、湯沸し工程をセットする。更にステップＳ２７に進み湯沸しヒータ４ａをオンとした後、スタートに戻る。
【００６３】
このように本実施の形態によれば、湯沸しヒータ４ａまたは保温ヒータ４ｂの通電を停止した後、蓋開閉センサ２２により蓋体２の閉鎖状態が検出されたときには、湯温センサ１２により検出される湯温に関わらず、湯沸しヒータ４ａの通常状態の通電を開始する。それにより、衛生面の安全性を確保することができる。
【００６４】
（実施の形態６）
図１０は、実施の形態６における、蓋開放状態の場合の安全性を確保するための制御ルーチンを示すフローチャートである。
【００６５】
この制御では、湯沸し工程（ステップＳ３０）、保温工程（ステップＳ３１）及びタイマー工程（ステップＳ３２）のいずれかが行われている場合に、ステップＳ３３では、報知停止スイッチが押されているか否かを判定する。報知停止スイッチが押されていれば、ステップＳ３４に進み報知フラグをオフにした後、ステップＳ３５に進む。報知停止スイッチが押されていなければ、直ちにステップＳ３５に進む。
【００６６】
ステップＳ３５では、蓋体２が閉鎖されているか否かを検出する。蓋体２が閉鎖されている場合には、ステップＳ３６に進み報知フラグをオフにした後、ステップＳ３７に進む。蓋体２が閉鎖されていない場合には、直ちにステップＳ３７に進む。
【００６７】
ステップＳ３７では、蓋体２が開放されているか否かを検出する。開放されていなければ、スタートに戻る。開放されていれば、ステップＳ３８に進み、報知フラグが設定されているか否かを判定する。報知フラグが設定されていれば、ステップＳ３９に進む。報知フラグが設定されていなければ、ステップＳ４０に進む。
【００６８】
ステップＳ３９では、報知フラグがオンか否かを判定する。報知フラグがオフであれば、スタートに戻る。報知フラグがオンであれば、ステップＳ４０に進む。
【００６９】
ステップＳ４０では、湯沸し工程中か否かを判定する。湯沸し工程中であれば、ステップＳ４１に進み、第１アラーム音による報知を行う。湯沸し工程中でなければ、ステップＳ４２に進み、保温工程中か否かを判定する。保温工程中であれば、ステップＳ４３に進み、第２アラーム音による報知を行う。保温工程中でなければ、ステップＳ４４に進み、第３アラーム音による報知を行う。ステップＳ４１、Ｓ４３、Ｓ４４の後は、スタートに戻る。
【００７０】
以上のとおり、本実施の形態によれば、アラーム動作中に報知停止スイッチ３５により報知停止状態にすることが可能であり、報知停止状態になった後、蓋体２の閉鎖状態が検出されたときには、報知停止状態が解除される。すなわち、アラーム音が不要なときはアラーム報知停止が可能であるが、蓋体２を閉鎖することにより停止がリセットされ、アラーム報知停止の状態が維持されることはなく、常に安全側へシフトする。
【００７１】
また、第１〜第３アラーム音を準備して、アラーム報知をするときの状態に応じて異なる種類のアラーム音を発生させることができる。
【産業上の利用可能性】
【００７２】
本発明によれば、蓋が開放されたときに、安全性の程度に応じてアラームを動作させることができ、実用上の適度な範囲で電気ポットの安全性を確保させるために有用である。
【図面の簡単な説明】
【００７３】
【図１】本発明の実施の形態における電気ポットの構成を示す断面図
【図２】同電気ポットの操作パネル部を示す平面図
【図３】同電気ポットの要部の拡大断面図
【図４】同電気ポットの制御回路部の構成を示す回路図
【図５】実施の形態１における電気ポットの蓋開放状態の場合の安全性を確保するための制御ルーチンを示すフローチャート
【図６】実施の形態２における電気ポットの蓋開放状態の場合の安全性を確保するための制御ルーチンを示すフローチャート
【図７】実施の形態３における電気ポットの蓋開放状態の場合の安全性を確保するための制御ルーチンを示すフローチャート
【図８】実施の形態４における電気ポットの蓋開放状態の場合の安全性を確保するための制御ルーチンを示すフローチャート
【図９】実施の形態５における電気ポットの蓋開放状態の場合の安全性を確保するための制御ルーチンを示すフローチャート
【図１０】実施の形態６における電気ポットの蓋開放状態の場合の安全性を確保するための制御ルーチンを示すフローチャート
【符号の説明】
【００７４】
１  容器本体
２  蓋体
３  内容器
３ａ  １枚板部
３ｂ  給水口
４ａ  湯沸しヒータ
４ｂ  保温ヒータ
５  給湯通路
５ａ  直管部
５ｂ  湯注出口
６  電動給湯ポンプ
７  外ケース
８  肩部材
９  底部材
１０  内筒
１１  外筒
１２  温度センサ
１３  満水位表示部
１４  上板
１５  下板
１６  ヒンジ受け
１７  ヒンジピン
１８  内カバー部材
１９  シールパッキン
２０  操作パネル部
２１  回路基板
２２  蓋開閉センサ
２３  リードスイッチ
２４  永久磁石
２５  給湯スイッチ
２６  給湯ロック解除スイッチ
２７  給湯ロック解除表示用ＬＥＤ
２８  再沸騰スイッチ
２９  タイマースイッチ
３０  選択スイッチ
３１ａ、３１ｂ  保温選択スイッチ
３２  再沸騰表示用ＬＥＤ
３３  保温動作表示用ＬＥＤ
３４  液晶表示部
３５  報知停止スイッチ
３６  報知停止表示用ＬＥＤ
４０  ＡＣ電源
４１  マイコン制御部
４２  トライアック
４３  トライアック駆動用のトランジスタ
４４  ゼロクロス検出回路
４５  平滑コンデサ
４６  給湯報知回路
４７  ＬＣＤ回路
４８  ＬＥＤ回路
４９  センサ回路
５０  ＳＷ回路
５１  クロック発振器
５２  アラーム回路
【図１】
2009247687.tif 000003
【図２】
2009247687.tif 000004
【図３】
2009247687.tif 000005
【図４】
2009247687.tif 000006
【図５】
2009247687.tif 000007
【図６】
2009247687.tif 000008
【図７】
2009247687.tif 000009
【図８】
2009247687.tif 000010
【図９】
2009247687.tif 000011
【図１０】
2009247687.tif 000012